(57)【要約】【課題】多様な形状のサンダルに適合でき、展示効果に優れたサンダル展示用足型および展示方法を提供する。【解決手段】サンダル用足型の長さ方向の中間位置に蛇腹構造を設け、足型の長さ方向に自然な傾きを自在に設定できるようにすることにより、上記問題点を解決した。サンダル展示用足型は、可撓性材料からなり、足の土踏まずに対応する部位の近傍に、蛇腹構造を足型の長さ方向に設けた。さらに、足型の指の付け根部の近傍に、足型構造の一部として、足型の長さ方向に第２の蛇腹構造を設けることもできる。これら蛇腹構造の足型の甲部側または裏部側を、選択的に収縮または伸張させることにより、蛇腹構造部において足型の長さ方向における上下方向の傾きを付与、調整することができる。【選択図】　　　図３
2004097415.tif 000002
【特許請求の範囲】
【請求項１】
可撓性材料からなるサンダル展示用足型であって、足の土踏まずに対応する部位の近傍に、足型の構造の一部として、蛇腹構造を足型の長さ方向に設けたことを特徴とするサンダル展示用足型。
【請求項２】
さらに、足型の指の付け根部の近傍に、足型の構造の一部として、第２の蛇腹構造を足型の長さ方向に設けた請求項１に記載のサンダル展示用足型。
【請求項３】
前記蛇腹構造の足型の甲部側または裏部側を、選択的に収縮または伸張させ、足型の長さ方向における上下方向の傾きを蛇腹構造部において付与、調整し、サンダルのヒール高さに対応させて足型を変形して使用する請求項１または２に記載のサンダル展示用足型。
【請求項４】
請求項１、２または３のいずれか一項に記載のサンダル展示用足型の指先の爪部にマニキュアを塗布し、該足型にサンダルを装着して展示することを特徴とするサンダルの展示方法。
【発明の詳細な説明】
【０００１】
【発明の属する技術分野】
本発明は、サンダル展示用足型およびサンダルの展示方法に関する。
【０００２】
【従来の技術】
サンダル、特に女性用のサンダルは、その販売に際してショーウインド、ショーケース、棚等に展示されるが、甲を覆う紐やバンドがへたり見映えの悪いことがあり、また、へたらない場合であっても商品価値を高めるべく更なる展示効果の改善が待たれるところである。
【０００３】
この改善方法として、人間の足型にサンダルを履かせて展示することが考えられる。いわば洋服におけるマネキンであり、サンダルを履いた時の見映え、立体感などを自然に表現することができ、販売者においては顧客に商品のコンセプト、魅力をアピールする事ができ、一方、顧客においては履いた時の感じをイメージしやすく、購入に際しても安心感が得られる。
【０００４】
しかしながらサンダルにおいては、ローファーと呼ばれるヒールの低いものから、パンプスと呼ばれる比較的ヒールの高いもの等、ヒールの高さは様々である。そこで、１種類の足型のみを用意し、これに種々の形のサンダルを履かせて展示すると、ヒール高さによっては不自然な感じが否めない。足型はプラスチックなどで作られ変形しないのに対し、実際の人間の足はヒールの高さに馴染んで足が微妙に変化するためである。したがって、不自然な形状の足型を使用すると、場合によっては却ってサンダルのもつ商品イメージに悪影響を与えることもある。
【０００５】
サンダルのヒール高さに合わせて異なる複数種類の足型を用意して展示することも考えられるが、それでは、コストの上昇を招くのは勿論のこと、足型の管理、保管、展示品が変わる度の取り替えの手間など、作業が煩雑となる。
【０００６】
【発明が解決しようとする課題】
本発明は、多様な形状のサンダルに適合でき、展示効果に優れたサンダル展示用足型および展示方法を提供するものである。
【０００７】
【課題を解決するための手段】
本発明は、サンダル用足型の長さ方向の中間位置に蛇腹構造を設け、足型の長さ方向に自然な傾きを自在に設定できるようにすることにより、上記問題点を解決した。
【０００８】
すなわち、本発明のサンダル展示用足型は、可撓性材料からなり、足の土踏まずに対応する部位の近傍に、蛇腹構造を足型の長さ方向に設けたことを特徴とする。
さらに、足型の指の付け根部の近傍に、足型構造の一部として、足型の長さ方向に第２の蛇腹構造を設けることもできる。
【０００９】
これら蛇腹構造の足型の甲部側または裏部側を、選択的に収縮または伸張させることにより、蛇腹構造部において足型の長さ方向における上下方向の傾きを付与、調整することができる。
【００１０】
また、上記サンダル展示用足型の指先の爪部にマニキュアを塗布し、サンダルを履かせて展示することにより、サンダルの展示効果を高めることもできる。
【００１１】
【発明の実施の形態】
図１は、本発明のサンダル展示用足型１１（以下、単に足型１１と呼ぶ場合もある）をサンダル４１に装着させた状態で示す斜視図であり、サンダル４１の展示状態を示す。図２および図３はこの側面図を示すものであり、図２はヒール４３が低いローファータイプのサンダル４１を履かせた（装着した）場合の側面図であり、図３はヒール４３が高いパンプスタイプのサンダル４１を履かせた場合について示す側面図である。４５は、サンダル４１の紐を示す。
【００１２】
後にも詳述するが、図２と図３では展示するサンダル４１のヒール４３の高さが異なるにも拘らず、同一の足型１１がサンダル４１に自然にフィットし、違和感がなく、顧客が自分でサンダル４１を履いた際の見た目を実感することができる。同一の足型１１が、ヒール高さの異なるサンダル４１にフィットする理由については、次項以下で詳述する。
【００１３】
さらに、足型１１の爪部１９にはマニキュア５１が塗布されており、より一層、実際に履いた時の見た目を想像することができる。これは、展示物としてのサンダル４１の展示効果・商品価値を高めるものであり、サンダル４１の顧客吸引力を向上させるものである。
【００１４】
図４および図５は、共に本発明の実施例の足型１１を示す断面図である。これらは、同一の足型１１を示し、図４が変形前の初期状態（通常状態）を示し、図５は、図４の足型１１の形状を変形させた状態を示す断面図である。
【００１５】
これら図４および図５に示すように、足型１１は、内部が空洞であり、プラスチック等の成形品などとして製造することができる。素材は特に限定されないが、蛇腹構造１３，１５を有することから、ヒンジ特性（曲げ・戻りに対す耐性、強度）に優れたポリプロピレンなどの合成樹脂が好ましい。
【００１６】
足型１１には、図１からも判るように人間の足を模した外形形状を有し、外観的にも蛇腹構造１３，１５を有する以外は人間の足の外観と変わるところはない。
足型１１は、人間の足の土踏まずに位置的に対応する足型１１の土踏まず部２５の近傍、および指部２７の付け根部の近傍において形成された、複数の条１７からなる蛇腹１３、第２の蛇腹１５が形成されている。
【００１７】
条１７とは、図６に示すように、蛇腹構造を構成する山部１７ａと谷部１７ｂとの繰返し単位を指す。
【００１８】
蛇腹１３、第２の蛇腹１５における条１７の数は、特に限定されないが、足型１１の変形能力および足型１１としての基本的な形の維持能力の観点から１〜６程度が好適であり、好ましくは２〜４である。条１７の数は、山部１７ａの数をもってカウントされる。蛇腹は、複数の条１７からなることが望ましい。
【００１９】
図４は標準状態（初期状態）を示し、ヒールが比較的低いサンダル４１（ローファー）に装着させることを前提としている。蛇腹１３、第２の蛇腹１５は条１７が均等に伸張した状態にある。
図６は、図４に矢印でＡまたはＢとして示した伸張状態の蛇腹１３または第２の蛇腹１５の、一部省略拡大断面図である。蛇腹１３（第２の蛇腹１５）は、条１７を形成する山部１７ａと谷部１７ｂとの繰返し単位から構成され、伸張状態においては、隣り合う山部１７ａ同士、および隣り合う谷部１７ｂ同士は、それぞれ離間している。図６は、２つの条１７から構成される蛇腹１３（１５）を示している。
【００２０】
この図４に示した足型１１をローファータイプのサンダル４１に装着した状態を示すのが図２である。人間がローファータイプのサンダルを履いた時の足の形態が足型１１により忠実に再現されているので、サンダル４１履かせた状態での違和感が無く、見た目が良好である。また、顧客は自分がサンダルを履いた状態を容易に想像することができ、顧客の購買意欲をそそることができる。
【００２１】
なお、本明細書において、以下しばらくの間、文章による説明および図示の便宜上、本明細書において「標準状態」あるいは「初期状態」とは、蛇腹１３および第２の蛇腹１５が長さ方向に亘って均等に伸張した状態を指す。
【００２２】
よりヒールが高いパンプスタイプのサンダル４１の足型として、図４に示した足型を使用する場合は、図５に示すように、図４に示した初期状態の足型１１の蛇腹１３の足の裏部２３側に当たる部分の条１７を選択的に収縮させる（蛇腹１３の足の甲部２１に当たる部分では蛇腹１３は伸張状態を保ったままである）。図７は、図５に矢印でＣとして示した状態の蛇腹１３一部省略拡大断面図である。蛇腹１３は、条１７を形成する山部１７ａと谷部１７ｂとの繰返し単位から構成され、足型１１の甲部２１側においては蛇腹１３は伸張状態を保ち、隣り合う山部１７ａ同士、および隣り合う１７ｂ同士は、それぞれ離間している。一方、足型１１の裏部２３側においては、蛇腹１３が伸張状態から収縮状態に変形しており、隣り合う山部１７ａ同士、および隣り合う谷部１７ｂは、それぞれ密着している。
【００２３】
この結果、足型１１の蛇腹１３で、足型１１の長さ方向に傾きが付与され、形状が変化して、図４に示した矢印α方向に足型１１の踵部が上方に持ち上げられるように変形し、図５の状態となる。この図５の形態の足型１１をパンプスタイプのサンダル４１に装着した状態を示すのが図３である。足型１１は、人間がパンプスタイプのヒールが高いサンダル４１を履いた状態（踵が持ち上げられた状態）の形状に変形している。したがって、この足型１１を装着したパンプスタイプのサンダル４１は極めて自然に見え違和感がなく、優れた展示効果を発揮する。
【００２４】
また、人間の足の踵がヒールにより持ち上げられると、足の指先は若干上側に持ち上げられる。そこで、足型１１の指部２７の付け根の近傍に設けられた第２の蛇腹１５を、条１７が第２の蛇腹１５の長さ方向で均等に伸張した状態から、第２の蛇腹１５の甲部２１側で条１７を選択的に収縮させる（第２の蛇腹１５の足の裏部２３に当たる部分は伸張状態を保ったままである）。この結果、足型１１の形状は、人間がヒールの高いサンダル４１を履いた状態にさらに近付き、一層自然な外観を呈する。
【００２５】
このように、本発明では１つのサンダル装着用の足型１１を用い、足型１１に形成された蛇腹１３あるいは更に第２の蛇腹１５を変形させて足型１１を変えることにより、異なるヒール高さのサンダル４１に対応することができる。
【００２６】
以上の説明では、足型１１の長さ方向に１つあるいは独立した２つの蛇腹を設ける事を示したが、蛇腹の数はこれに限定させず、足型１１の長さ方向に独立した３つ以上の蛇腹を設けてもよい。
【００２７】
また、上記の記述では、図４に示した比較的低いヒールのサンダル用の足型の場合であって、蛇腹１３が均等な伸張状態にある場合を、足型１１の標準状態ないしは初期状態として説明したが、これは説明および蛇腹構造の図示の便宜上にすぎない。たとえば、上記図５に示したような高いヒールのサンダルに適合した状態を標準状態ないしは初期状態とすることもできる。この場合は、ローファーのような低いヒールのサンダルに適した足型形状に変形する時は、人間の足の土踏まずに対応する部位の近傍で、足型１１中の一部を構成するように設けられた蛇腹１３の、足の甲部２１側に当たる部分の条１７を選択的に収縮させて、足型１１の長さ方向における上下方向の傾きを小さくすればよい（蛇腹１３の足の裏部２１に当たる部分の条１７は伸張状態を保ったままである）。なお、本発明の足型１１をサンダル４１に装着して展示する場合、足型１１の裏部２３は外観上見えないので、足型１１においては、土踏まずを忠実に再現する必要は、必ずしもない（足型１１の裏部２３は、扁平であってもよい）。
【００２８】
さらに、図４に示した比較的低いヒールの低い場合の足型を標準状態ないしは初期状態とした場合であっても、より低いヒールのサンダルに対応した足型として使用する場合は、上記と同様に、人間の足の土踏まずに対応する部位の足型１１の近傍に設けられた蛇腹１３の、足の甲部２１側に当たる部分の条３１を選択的に収縮させて、足型１１の長さ方向における上下方向の傾きを小さくすればよい（蛇腹１３の足の裏部２３に当たる部分の条３１は伸張状態を保ったままである）。
【００２９】
また、蛇腹構造が収縮状態にある場合を、初期状態ないしは標準状態と考えることもできる。この場合は、装着するサンダルの形状（主としてヒール高さ）に応じて、足型１１の甲部２１側または裏部２３側において、選択的に蛇腹を伸張状態とすればよい。
足型は外観が大切であるので、目立つ部分である足型の甲部における蛇腹が主として伸縮状態となるように運用することも考えられる。
また、足型１１の甲部２１側にしろ裏部２３側にしろ、すべての条１７を均等に離間させたり、密着させる必要はない。一部の条１７のみを離間させたり密着させることにより、いわば蛇腹の半伸張状態ないし半収縮状態とし、蛇腹により足型に付与される傾きの大きさを制御する事もできる。
【００３０】
【発明の効果】
本発明によれば、サンダル展示用足型において、足型の長さ方向の一部に複数の条からなる蛇腹構造を形成し、この蛇腹構造の足型の甲部側または裏部側の条を選択的に収縮または伸張させて、足型の長さ方向における上下方向の角度を調整することにより、サンダルのヒールの高さに適合させて足型を変形させることができる。
【００３１】
したがって、ローファーのようなヒールの低いサンダルに本発明の足型を装着して展示する場合であっても、また、パンプスのようなヒールの高いサンダルを履かせて展示する場合であっても、１つの足型を用意するだけで、サンダルの形に合わせて、サンダルを履いた時の人間の足の形に模して足型を自在に変形することができ、違和感のない自然な外観が得られ、サンダルが本来具えている美観を十二分に演出することができる。
【図面の簡単な説明】
【図１】本発明の実施例のサンダル展示用足型を、サンダルに装着した状態で示す斜視図である。
【図２】本発明の実施例のサンダル展示用足型を、サンダルに装着した状態で示す側面図である。
【図３】本発明の実施例のサンダル展示用足型を、サンダルに装着した状態で示す側面図である。
【図４】図２示した本発明の実施例のサンダル展示用足型の断面図である。
【図５】図２に示した本発明の実施例のサンダル展示用足型を変形させ、長さ方向に傾きを持たせた状態で示す、図３の足型の断面図である。
【図６】図４にＡ部またはＢ部として示した蛇腹１３（１５）の一部省略拡大断面図である。
【図７】図５にＣ部として示した蛇腹１３の一部省略拡大断面図である。
【符号の説明】
１１　（サンダル展示用）足型
１３　蛇腹
１５　第２の蛇腹
１７　条
１７ａ　山部
１７ｂ　谷部
１９　爪
２１　甲部
２３　裏部
２５　土踏まず部
２７　指部
３１　条
４１　サンダル
４３　ヒール
４５　紐
５１　マニキュア
【図１】
2004097415.tif 000003
【図２】
2004097415.tif 000004
【図３】
2004097415.tif 000005
【図４】
2004097415.tif 000006
【図５】
2004097415.tif 000007
【図６】
2004097415.tif 000008
【図７】
2004097415.tif 000009